(57)【要約】【課題】針穴に糸を通す際に用いられるフック部の破損を防止することができる手縫い針用糸通し器具を提供する。【解決手段】手縫い針用糸通し器具１は、手縫い針７０をその針穴７０ａを下側にして受容する手縫い針挿入孔５と、下向きフック３０を先端に有するフック部３１と、後退位置と突出位置との間で往復移動するようにフック部３１を移動させるスライド部２０と、突出位置において下向きフック３０の下に配され、糸７１を支持する糸支持部６７をを有する。糸支持部６７は、下向きフック３０が突出位置に移動したときに下向きフック３０が糸７１を引っ掛けるように糸７１を下向きフック３０に渡す。【選択図】      図２
2005040292.tif 000002
【特許請求の範囲】
【請求項１】
手縫い針をその針穴を下側にして受容する針受容部と、
下向きフックを先端に有するフック部と、
前記下向きフックが後退した後退位置と、前記下向きフックが前記針受容部に受容された手縫い針の針穴を通って突出した突出位置との間で往復移動するように前記フック部を移動させるフック部移動手段と、
前記突出位置において前記下向きフックの下に配され、糸を支持すると共に、前記下向きフックが前記突出位置に移動したときに前記下向きフックが前記糸を引っ掛けるように前記糸を前記下向きフックに渡す糸支持部とを備えることを特徴とする手縫い針用糸通し装置。
【請求項２】
前記糸支持部は、前記下向きフックが前記突出位置に移動したときに前記下向きフックに向かって上方に移動するように構成されていることを特徴とする請求項１記載の手縫い針用糸通し装置。
【請求項３】
前記糸支持部は、その上端に、前記下向きフックを跨ぐと共に、前記糸を前記フック部の長手方向と直角且つ水平に支持する二又部を有することを特徴とする請求項２記載の手縫い針糸通し装置。
【請求項４】
前記フック部は、前記フック部が前記突出位置に向かって移動するときに前記下向きフックにかかる負荷を一定値以下とするための緩衝部を備えることを特徴とする請求項１乃至３のいずれか１項に記載の手縫い針糸通し装置。
【請求項５】
前記フック部は、前記フック部が前記後退位置に向かって移動するときに前記下向きフックにかかる負荷を一定値以下とするための他の緩衝部を備えることを特徴とする請求項１乃至４のいずれか１項に記載の手縫い針糸通し装置。
【請求項６】
前記下向きフックが前記後退位置に移動した後、当該下向きフックが前記後退位置と前記針受容部に受容された手縫い針との間の初期位置に位置するように前記フック部を戻すフック部戻し手段と、
前記後退位置と前記針受容部に受容された手縫い針の針穴との間において前記下向きフックの上方に配され、前記フック部が前記後退位置から前記初期位置に移動したときに、前記下向きフックに引っ掛けられた糸を押し下げるべく下方に移動する糸外し部とを有することを特徴とする請求項１乃至５のいずれか１項に記載の手縫い針糸通し装置。
【請求項７】
前記糸外し部は、前記下向きフックより幅が広い板状部材を備えることを特徴とする請求項６記載の手縫い針糸通し装置。
【発明の詳細な説明】
【０００１】
【発明の属する技術分野】
本発明は、手縫い針用糸通し器具に関する。
【０００２】
【従来の技術】
手縫い針用糸通し器具は、近年多くの機種が開発されている。
【０００３】
例えば、第１の従来例としては、糸を引っ掛けたフックを針穴に通して押し出すことにより糸を針穴に通すものがある。また、第２の従来例としては、予め上向きのフックを針穴に通しておいた後、このフックに糸を引っ掛けてからフックを針穴から引き抜くことにより糸を針穴に通すものがある（例えば特許文献１，２参照）。
【０００４】
【特許文献１】
米国特許第２，３３８，１５９号
【特許文献２】
米国特許第２，５０７，３７０号
【０００５】
【発明が解決しようとする課題】
しかしながら、第１の従来例では、針穴がフックに対して小さすぎたり、糸の太さが針穴に対して太すぎたりすると、糸通しの際のフックへの負担が大きく、フックが曲がったり、折れたりして破損するという問題があった。
【０００６】
また、第２の従来例では、上記のような負担は小さいが、糸を上向きのフックに引っ掛けてからフックを針穴から引き抜くので、糸をフックにしっかりと引っ掛かけるために、フックの形状をカギ針状等にする必要があった。そのため、フックを針穴から引き抜いた後で糸をフックから外すことが困難であり、糸をフックから無理やり外そうとして、フックが曲がったり、折れたりして破損するという問題があった。
【０００７】
本発明の目的は、針穴に糸を通す際に用いられるフック部の破損を防止することができる手縫い針用糸通し器具を提供することにある。
【０００８】
【課題を解決するための手段】
上記目的を達成するために、請求項１記載の手縫い針用糸通し器具は、手縫い針をその針穴を下側にして受容する針受容部と、下向きフックを先端に有するフック部と、前記下向きフックが後退した後退位置と、前記下向きフックが前記針受容部に受容された手縫い針の針穴を通って突出した突出位置との間で往復移動するように前記フック部を移動させるフック部移動手段と、前記突出位置において前記下向きフックの下に配され、糸を支持すると共に、前記下向きフックが前記突出位置に移動したときに前記下向きフックが前記糸を引っ掛けるように前記糸を前記下向きフックに渡す糸支持部とを備えることを特徴とする。
【０００９】
請求項２記載の手縫い針用糸通し器具は、請求項１記載の手縫い針用糸通し器具において、前記糸支持部は、前記下向きフックが前記突出位置に移動したときに前記下向きフックに向かって上方に移動するように構成されていることを特徴とする。
【００１０】
請求項３記載の手縫い針用糸通し器具は、請求項２記載の手縫い針用糸通し器具において、前記糸支持部は、その上端に、前記下向きフックを跨ぐと共に、前記糸を前記フック部の長手方向と直角且つ水平に支持する二又部を有することを特徴とする。
【００１１】
請求項４記載の手縫い針用糸通し器具は、請求項１乃至３のいずれか１項に記載の手縫い針用糸通し器具において、前記フック部は、前記フック部が前記突出位置に向かって移動するときに前記下向きフックにかかる負荷を一定値以下とするための緩衝部を備えることを特徴とする。
【００１２】
請求項５記載の手縫い針用糸通し器具は、請求項１乃至４のいずれか１項に記載の手縫い針用糸通し器具において、前記フック部は、前記フック部が前記後退位置に向かって移動するときに前記下向きフックにかかる負荷を一定値以下とするための他の緩衝部を備えることを特徴とする。
【００１３】
請求項６記載の手縫い針用糸通し器具は、請求項１乃至５のいずれか１項に記載の手縫い針用糸通し器具において、前記下向きフックが前記後退位置に移動した後、当該下向きフックが前記後退位置と前記針受容部に受容された手縫い針との間の初期位置に位置するように前記フック部を戻すフック部戻し手段と、前記後退位置と前記前記針受容部に受容された手縫い針の針穴との間において前記下向きフックの上方に配され、前記フック部が前記後退位置から前記初期位置に移動したときに、前記下向きフックに引っ掛けられた糸を押し下げるべく下方に移動する糸外し部とを有することを特徴とする。
【００１４】
請求項７記載の手縫い針用糸通し器具は、請求項６記載の手縫い針用糸通し器具において、前記下向きフックより幅が広い板状部材を備えることを特徴とする。
【００１５】
【発明の実施の形態】
以下、本発明の実施の形態を図面を参照して説明する。
【００１６】
図１において、手縫い針用糸通し器具１は、水平方向に長尺状であると共に、鉛直面内で平たいプラスチック製箱形ハウジング２と、ハウジング２の底部に形成されたベッド３とを備える。一方、手縫い針７０は、後端に針穴７０ａを有する。
【００１７】
ハウジング２の一端側（図１の右側）には、後述する操作棒４が装着されている。操作棒４はその一端に操作ツマミ４ａを有する。
【００１８】
ハウジング２の他端側（図１の左側）には、その上部に手縫い針挿入孔５（針受容部）が鉛直方向下向きに設けられている。この手縫い針挿入孔５は、ベルマウス状の入口５ａを有し、手縫い針７０を針穴７０ａを下にして受容する。また、ハウジング２の他端側には、手縫い針挿入孔５に関してハウジング２の他端側に隣接して、糸挿入スリット６が鉛直方向下向きに設けられている。糸挿入スリット６は、手縫い針７０の針穴７０ａに通す糸７１を水平に且つハウジング２の長手方向に直交して受容する。
【００１９】
ハウジング２の一端側には、その上部に糸７１を切断するためのカッタ６８が設けられている。
【００２０】
図２は、初期状態における図１の手縫い針用糸通し器具１の断面図である。
【００２１】
図２において、ハウジング２は、その内部に、高さ方向中央部において、ハウジング２の一端部を基端としてハウジング２の他端側に向かってハウジング２の長手方向に延びる段付き四角筒部１２を有し、四角筒部１２は中に空洞部１３を有する。四角筒部１２の外形断面寸法に関して、水平方向幅は一定であるが、鉛直方向幅は先端部の方が基端部より小さい。同様に、四角筒部１２の空洞部１３の断面寸法も、水平方向幅は一定であるが、鉛直方向幅は先端部の方が基端部より小さい。空洞部１３の長手方向中央部には、上側と下側に夫々互いに対向する長手方向凹部１３ａ，１３ｂが形成されている。
【００２２】
四角筒部１２は、その長手方向中央部において、長手方向凹部１３ａに対向して基端側上部に開口部１６を、長手方向凹部１３ｂに対向して先端側下部に切り欠き部１７を有している。
【００２３】
四角筒部１２の空洞部１３には、四角筒状のスライド部２０が収容されている。スライド部２０は、空洞部１３内で四角筒部１２の長手軸方向にスライド可能なように、その外形形状が空洞部１３の形状と相補的であり、スライド部２０の一端部は、四角筒部１２の先端側において空洞部１３と嵌合すると共に、スライド部２０の他端部は、その逆である。スライド部２０は、四角筒部１２の長手軸の周りに回転しない。
【００２４】
スライド部２０の長手方向中央部上側には、長手方向凹部１３ａに嵌合する突状部２１が形成され、また、長手方向中央部下側には、長手方向凹部１３ｂに嵌合する突状部２２が突状部２１に対向して形成されている。これにより、スライド部２０は、その長手方向のスライド範囲が規制される。
【００２５】
突状部２２には、四角筒部１２の先端側においてハウジング２の他端側に傾斜した傾斜突起２３が形成され、この傾斜突起２３は、四角筒部１２の切り欠き部１７に嵌入している。
【００２６】
スライド部２０の他端部と空洞部１３の底部との間には、スライド部２０をその一端側に向かって付勢する圧縮バネ２５（フック部戻し手段）が装着されている。一方、四角筒部１２の下側には、傾斜突起２３に係合する板バネ２４が取付けられており、傾斜突起２３は板バネ２４により掛止められている。これにより、四角筒部１２に対するスライド部２０の初期位置が規定される。
【００２７】
スライド部２０は、その長手方向中央部に鉛直方向に配向した四角柱状空洞部２７を、その一端部に長手方向に配向した四角柱状空洞部２８を、その他端部に長手方向に配向した四角柱状空洞部２９を夫々有する。
【００２８】
スライド部２０の空洞部２８には、ハウジング２の他端側に配向した下向きフック３０を先端に有するフック部３１がスライド部２０の長手方向にスライド自在に収容されている。フック部３１は、空洞部２８内において、最大突出位置で停止するようにそのスライド範囲が規制されている。フック部３１の基端と空洞部２８の底部の間には、フック部３１をその先端側に向かって付勢する圧縮バネ３２（緩衝部）が装着されている。これにより、フック部３１を、通常は、その最大突出位置に位置させ、且つ、ハウジング２の他端側への下向きフック３０の移動が妨害されたときには、下向きフック３０の破損を防止することができる。図２のように、手縫い用糸通し器具１が初期状態にあるときは、下向きフック３０は、ハウジング２の一端側において手縫い針挿入孔５の直近に位置している。
【００２９】
下向きフック３０は、四角筒部１２の長手軸よりやや上側にオフセットしている。また、スライド部２０の一端部には、後述する糸持ち上げカム部３３が突出している。糸持ち上げカム部３３は、その上面に、ハウジング２の他端側に傾斜した糸持ち上げカム３３ａを有する。
【００３０】
スライド部２０の空洞部２９には、一端に操作ツマミ４ａを有する操作棒４の他端側がスライド部２０の長手方向にスライド自在に受容されている。操作棒４は、空洞部２９内において、最大突出位置で停止するようにそのスライド範囲が規制されている。操作棒４の他端は、空洞部２９内に装着された圧縮バネ５２（他の緩衝部）によりスライド部２０の一端側に付勢されている。これにより、操作棒４の他端は、通常は、空洞部２９の底部に当接している。
【００３１】
一方、圧縮バネ５２のバネ定数は圧縮バネ２５のものより大きい。従って、操作ツマミ４ａがハウジング２の一端側に引っ張られたときに、まず、圧縮バネ２５が縮んでスライド部２０がハウジング２の一端側に移動し、突状部２１，２２がハウジング２の一端側において長手方向溝１３ａ，１３ｂに当接した後は、圧縮バネ５２が縮む。これにより、ハウジング２の一端側への下向きフック３０の移動が妨害されたとき、下向きフック３０の破損を防止することができる。
【００３２】
スライド部２０の空洞部２７には、その上面がハウジング２の他端側に傾斜しているアームカムピン６０が鉛直方向にスライド自在に収容されている。アームカムピン６０は、空洞部２７内において、最大突出位置で停止するようにそのスライド範囲が規制されている。アームカムピン６０の下端と空洞部２７の底部の間には、アームカムピン６０を上方に向かって付勢する圧縮バネ６１が装着されている。
【００３３】
さらに、ハウジング２内には、四角筒部１２の上方において、略逆Ｕ字形アーム６２（糸外し部）が支点６３の周りに揺動自在に配されている。アーム６２は、その一端が引っ張りバネ６４で図２中時計回りに付勢され、且つ、その回動がストッパピン６３ａで規制されている。アーム６２は、その規制位置において、一端が下向きフック３０の上方に位置していると共に、他端が四角筒部１２の先端側において開口部１６内に嵌入している。アーム６２の一端の幅は、下向きフック３０の幅より大きい（図３，図９）。下向きフック３０に引っ掛けられた糸７１は、下向きフック３０の両脇から針穴７０ａまでつながっているため、図９に示すように、アーム６２の一端の幅を少なくとも下向きフック３０の幅より大きくすると、下向きフック３０に引っ掛けられた糸７１を確実に外すことができる。
【００３４】
ハウジング２の他端側は、フック部３１の下向きフック３０を受容すべくフック部３１と同軸的に設けられた長手方向孔４０と、その下側に、スライド部２０の一端に設けられた糸持ち上げカム部３３を受容すべく糸持ち上げカム部３３と同軸的に設けられた長手方向孔４１とを備える。
【００３５】
ハウジング２の他端側上部に設けられた手縫い針挿入孔５は、長手方向孔４２に達している。この手縫い針挿入孔５は、これにより、手縫い針挿入孔５が手縫い針７０をその針穴７０ａを下にして受容したときに、針穴７０ａが下向きフック３０に対向すべく手縫い針７０を回転させるようにテーパー状に形作られている。
【００３６】
一方、ハウジング２の他端側には、糸挿入スリット６の下方において鉛直方向孔６６ａを有し、この鉛直方向孔６６ａ内には、上端に二又部６７ａを有する糸支持部６７が鉛直方向にスライド自在に収容されている。糸支持部６７は二又部６７ａが下向きフック３０を跨ぐように位置し、この二又部６７ａの間には逃げ８０が設けられている（図４）。これにより、糸持ち上げカム部３３により糸支持部６７が持ち上がった状態であってもフック部３１をスムーズにスライドさせることができる。
【００３７】
上述した四角筒部１２の長手方向凹部１３ａ，１３ｂとスライド部２０の突状部２１，２２の各位置は、スライド部２０のスライド範囲を、下向きフック３０が図２に示す初期位置よりもハウジング２の一端側に後退した後退位置と、下向きフック３０が初期位置から手縫い針挿入孔５に受容された手縫い針７０の針穴７０ａを通って糸支持部２７の二又部６７ａの上方に位置する突出位置とで規定するように、夫々設定されている。
【００３８】
糸支持部６７は、その鉛直方向中央部に糸持ち上げカム部３３が貫通する穴６９を有しており、スライド部２０がハウジング２の他端側に移動し、下向きフック３０が突出位置に到達したときに、糸持ち上げカム３３ａが穴６９に嵌合するように構成されている。
【００３９】
以下、図１の手縫い針用糸通し器具１の作動を説明する。
【００４０】
（１）  初期状態（図２）
まず、図２の初期状態において、手縫い針７０を、その針穴７０ａを下にして手縫い針挿入孔５に挿入すると、手縫い針７０は、針穴７０ａが長手方向孔４０内で下向きフック３０に対向するように回転する。
【００４１】
次いで、糸７１を糸挿入スリット６に挿入すると、糸７１は、長手方向孔４２の位置において水平に且つハウジング２の長手方向に直交する配向された上で、糸支持部６７の二又部６７ａの上に配される。
【００４２】
（２）  糸通し状態（図５）
図２の初期状態において、操作ツマミ４ａがハウジング２の他端側（図５のＡ方向）に押されると、スライド部２０がハウジング２の他端側にスライドして、まず、傾斜突起２３の作用により板バネ２４が外れ、さらには、突状部２１，２２がハウジング２の他端側において長手方向凹部１３ａ，１３ｂに当接して、下向きフック３０が、手縫い針挿入孔５に挿入された手縫い針７０の針穴７０ａを貫通して糸７１を支持する糸支持部６７の上に位置する突出位置に達する。このとき、下向きフック３０は糸７１が引っ掛かっていない状態で針穴７０ａを通った突出位置まで移動するので、下向きフック３０を針穴７０ａにスムーズに通すことができ、フック部３１が曲がったり、折れたりして破損することを防止することができる。
【００４３】
また、同時に、糸持ち上げカム部３３が糸支持部６７の穴６９を通過することにより、糸持ち上げカム３３ａの作用により糸支持部６７が上方に持ち上げられ、糸支持部６７の二又部６７ａ上に配された糸７１が下向きフック３０に係合される（図７）。これにより、確実に下向きフック３０に糸７１を引っ掛けることができる。
【００４４】
スライド部２０がハウジング２の他端側にスライドする際に、手縫い針７０の針穴７０ａの大きさが下向きフック３０の大きさに比べて小さかったり、挿入方向を逆にして手縫い針７０を手縫い針挿入孔５に挿入した場合のように、下向きフック３０が手縫い針７０の針穴７０ａに入らない場合は、スライド部２０の空洞部２８内の圧縮バネ３２が縮むことにより、フック部３１に加えられる負荷を低減してフック部３１が曲がったり折れたりして破損することを防止することができる。
【００４５】
（３）  糸引出し状態（図６）
図５の糸通し状態から、操作ツマミ４ａがハウジング２の一端側（図６のＢ方向）に引っ張られると、スライド部２０がハウジング２の一端側にスライドして、下向きフック３０は糸７１を引っ掛けたまま手縫い針７０の針穴７０ａから引き抜かれ、突状部２１，２２がハウジング２の一端側において長手方向凹部１３ａ，１３ｂに当接して、下向きフック３０が、手縫い針挿入孔５に挿入された手縫い針７０の針穴７０ａを通って後退位置に達する。このとき、同時に、スライド部２０の空洞部２７内にあるアームカムピン６０が圧縮バネ６１の作用により開口部１６内に嵌入すると共に、糸持ち上げカム部３０が糸支持部６７の穴６９から引き抜かれることにより、糸持ち上げカム３３ａの作用により糸支持部６７が下方に下げられる。
【００４６】
上述のように下向きフック３０が後退位置に向かってスライドする際に、糸７１の太さが手縫い針７０の針穴７０ａの大きさに比して太い場合のように、下向きフック３０を糸を引っ掛けた状態で手縫い針７０の針穴７０ａからスムーズに引き抜けない場合は、スライド部２０の空洞部２９内の圧縮バネ５２が縮むことにより、フック部３１に加えられる負荷を低減してフック部３１が曲がったり折れたりして破損することを防止することができる。
【００４７】
（４）  糸外し状態（図８）
図６の糸引出し状態から、圧縮バネ２５の作用によってスライド部２０及び操作ツマミ４ａがハウジング２の他端側（図８のＣ方向）にスライドして、図２の初期状態に戻るときに、以下の糸外し動作が行われる。
【００４８】
即ち、圧縮バネ２５の作用により、スライド部２０及び操作ツマミ４ａがハウジング２の他端側にスライドすると、下向きフック３０もハウジング２の他端側に移動して下向きフック３０に引っ掛けられている糸７１を緩ませる。また、開口部１６においてその上部が飛び出しているアームカムピン６０もハウジング２の他端側に移動してアーム６２の他端を上方に押し上げ、アーム６２を図８中反時計回りに回転させる。このアーム６２の反時計回りの回転により、アーム６２の一端は下方に下がり、これにより、上述の緩んだ糸７１を押し下げて糸７１を下向きフック３０から確実に外すことができる。
【００４９】
スライド部２０がさらにハウジング２の他端側に移動すると、アームカムピン６０はスライド部２０の上部内壁に当接して後退位置に戻され、その結果、アーム６２は引っ張りバネ６４の作用により図８中時計回りに規制位置まで回転して、手縫い針用糸通し器具１は図２の初期状態になる。
【００５０】
本実施の形態では、操作ツマミ４ａの操作方向は水平方向であるが、スライド部２０のスライド方向が水平であればよく、周知のリンクやカムを使用することにより操作ツマミ４ａの操作方向が鉛直方向であってもよい。
【００５１】
【発明の効果】
以上詳細に説明したように、請求項１記載の手縫い針用糸通し器具によれば、糸支持部は、下向きフックが突出位置に移動したときに下向きフックが糸を引っ掛けるように糸を下向きフックに渡すので、下向きフックは糸が引っ掛かっていない状態で針穴を通った突出位置まで移動する結果、下向きフックをスムーズに針穴に通すことができ、針穴に糸を通す際に用いられるフック部の破損を防止することができる。
【００５２】
請求項２記載の手縫い針用糸通し器具によれば、糸支持部は、下向きフックが突出位置に移動したときに下向きフックに向かって上方に移動するように構成されているので、確実に下向きフックに糸を引っ掛けることができる。
【００５３】
請求項３記載の手縫い針用糸通し器具によれば、糸支持部の上端にある二又部は、下向きフックを跨ぐと共に、糸をフック部の長手方向と直角且つ水平に支持するので、糸支持部が持ち上がった状態であっても、フック部をスムーズにスライドさせることができる。
【００５４】
請求項４記載の手縫い針用糸通し器具によれば、緩衝部は、フック部が突出位置に向かって移動するときに下向きフックにかかる負荷を一定値以下とするので、針穴の大きさが下向きフックの大きさに比べて小さかったり、挿入方向を逆にして手縫い針を針受容部に挿入した場合のように、下向きフックが手縫い針の針穴に入らない場合は、フック部に加えられる負荷を緩衝部によって低減して、フック部が曲がったり折れたりして破損することを防止することができる。
【００５５】
請求項５記載の手縫い針用糸通し器具によれば、他の緩衝部は、下向きフックが後退位置に向かって移動するときに下向きフックにかかる負荷を一定値以下とするので、糸の太さが手縫い針の針穴の大きさに比して太い場合のように、下向きフックを糸を引っ掛けた状態で手縫い針の針穴からスムーズに引き抜けない場合は、フック部に加えられる負荷を他の緩衝部によって低減して、フック部が曲がったり折れたりして破損することを防止することができる。
【００５６】
請求項６記載の手縫い針用糸通し器具によれば、下向きフックが後退位置に移動した後、当該下向きフックが後退位置と針受容部に受容された手縫い針との間の初期位置に下向きフックが位置するようにフック部を移動させ、後退位置と針受容部に受容された手縫い針の針穴との間において下向きフックの上方に配され、フック部が後退位置から初期位置に移動したときに、下向きフックに引っ掛けられた糸を押し下げるべく下方に移動するので、針穴から糸を引出した後に下向きフックから糸を確実に外すことができる。
【００５７】
請求項７記載の手縫い針用糸通し器具によれば、板状部材は、下向きフックより幅が広いので、下向きフックに引っ掛けられた糸を確実に外すことができる。
【図面の簡単な説明】
【図１】本発明の実施の形態に係る手縫い針用糸通し器具の斜視図である。
【図２】初期状態における図１の手縫い針用糸通し器具１の断面図である。
【図３】図２の線ＩＩＩ−ＩＩＩに沿う断面図である。
【図４】図２の線ＩＶ−ＩＶに沿う断面図である。
【図５】図１の手縫い針用糸通し器具１の糸通し状態を説明する縦断面図である。
【図６】図１の手縫い針用糸通し器具１の糸引出し状態を説明する縦断面図である。
【図７】図２の糸支持部６７周辺部の部分拡大図である。
【図８】図１の手縫い針用糸通し器具１の糸外し状態を説明する縦断面図である。
【図９】図８の下向きフック３０周辺部の部分拡大図である。
【符号の説明】
１  手縫い針用糸通し器具
４ａ  操作ツマミ
５  手縫い針挿入孔
６  糸挿入スリット
２５，３２，５２  圧縮バネ
３１  フック部
３３  糸持ち上げカム部
６０  アームカムピン
６２  アーム
６７  糸支持部
６７ａ  二又部
【図１】
2005040292.tif 000003
【図２】
2005040292.tif 000004
【図３】
2005040292.tif 000005
【図４】
2005040292.tif 000006
【図５】
2005040292.tif 000007
【図６】
2005040292.tif 000008
【図７】
2005040292.tif 000009
【図８】
2005040292.tif 000010
【図９】
2005040292.tif 000011